(57)【要約】【課題】  スイング時のタイミングの取りやすさを向上させるゴルフクラブシャフトおよび該シャフトを備えたゴルフクラブを提供する。【解決手段】  ゴルフクラブシャフトは、プリプレグを用いて作製されたゴルフクラブシャフトであって、ゴルフクラブシャフトのグリップ側端部から３００ｍｍ以下程度の範囲において、曲げ剛性値が０．４９×１０２Ｎ・ｍ２以上１．４７×１０２Ｎ・ｍ２以下程度であり、かつ、ねじれ剛性値が０．４９×１０２Ｎ・ｍ２以上０．９８×１０２Ｎ・ｍ２以下程度であり、かつ、曲げ剛性値のねじれ剛性値に対する比が１．０以上１．６以下程度である。【選択図】        図５
2005270646.tif 000002
【特許請求の範囲】
【請求項１】
プリプレグを用いて作製されたゴルフクラブシャフトであって、
前記ゴルフクラブシャフトのグリップ側端部から３００ｍｍ以下の範囲において、曲げ剛性値が０．４９×１０２Ｎ・ｍ２以上１．４７×１０２Ｎ・ｍ２以下であり、かつ、ねじれ剛性値が０．４９×１０２Ｎ・ｍ２以上０．９８×１０２Ｎ・ｍ２以下である部分を有するゴルフクラブシャフト。
【請求項２】
プリプレグを用いて作製されたゴルフクラブシャフトであって、
前記ゴルフクラブシャフトのグリップ側端部から３００ｍｍ以下の範囲において、曲げ剛性値が０．４９×１０２Ｎ・ｍ２以上１．４７×１０２Ｎ・ｍ２以下であり、かつ、ねじれ剛性値が０．４９×１０２Ｎ・ｍ２以上０．９８×１０２Ｎ・ｍ２以下であり、かつ、前記曲げ剛性値の前記ねじれ剛性値に対する比が１．０以上１．６以下である部分を有するゴルフクラブシャフト。
【請求項３】
プリプレグを用いて作製されたゴルフクラブシャフトであって、
前記ゴルフクラブシャフトのグリップ側端部から３００ｍｍ以下の範囲において、曲げ剛性値が０．４９×１０２Ｎ・ｍ２以上０．６９×１０２Ｎ・ｍ２以下であり、かつ、ねじれ剛性値が０．３５×１０２Ｎ・ｍ２以上０．４９×１０２Ｎ・ｍ２以下であり、かつ、前記曲げ剛性値の前記ねじれ剛性値に対する比が１．０以上１．４以下である部分を有するゴルフクラブシャフト。
【請求項４】
プリプレグを用いて作製されたゴルフクラブシャフトであって、
前記ゴルフクラブシャフトのグリップ側端部から３００ｍｍ以下の範囲において、曲げ剛性値が０．４９×１０２Ｎ・ｍ２以上１．１７×１０２Ｎ・ｍ２以下であり、かつ、ねじれ剛性値が０．４９×１０２Ｎ・ｍ２以上０．９８×１０２Ｎ・ｍ２以下である部分を有するゴルフクラブシャフト。
【請求項５】
プリプレグを用いて作製されたゴルフクラブシャフトであって、
前記ゴルフクラブシャフトのグリップ側端部から２００ｍｍ以下の範囲において、曲げ剛性値が０．４９×１０２Ｎ・ｍ２以上１．１７×１０２Ｎ・ｍ２以下であり、かつ、ねじれ剛性値が０．４９×１０２Ｎ・ｍ２以上０．９８×１０２Ｎ・ｍ２以下である部分を有するゴルフクラブシャフト。
【請求項６】
プリプレグを用いて作製されたゴルフクラブシャフトであって、
前記ゴルフクラブシャフトのグリップ側端部から３００ｍｍ以下の範囲において、曲げ剛性値が０．５９×１０２Ｎ・ｍ２以上０．９８×１０２Ｎ・ｍ２以下であり、かつ、ねじれ剛性値が０．４９×１０２Ｎ・ｍ２以上０．９８×１０２Ｎ・ｍ２以下であり、かつ、前記曲げ剛性値の前記ねじれ剛性値に対する比が１．０以上１．６以下である部分を有するゴルフクラブシャフト。
【請求項７】
プリプレグを用いて作製されたゴルフクラブシャフトであって、
前記ゴルフクラブシャフトのグリップ側端部から３００ｍｍ以下の範囲において、曲げ剛性値が０．５９×１０２Ｎ・ｍ２以上０．９８×１０２Ｎ・ｍ２以下であり、かつ、ねじれ剛性値が０．５９×１０２Ｎ・ｍ２以上０．９８×１０２Ｎ・ｍ２であり、かつ、前記曲げ剛性値の前記ねじれ剛性値に対する比が１．０以上１．２以下である部分を有するゴルフクラブシャフト。
【請求項８】
プリプレグを用いて作製されたゴルフクラブシャフトであって、
前記プリプレグは、
前記ゴルフクラブシャフトの軸方向と交差する方向に延在する繊維を含み、該ゴルフクラブシャフトのグリップ側端部にのみ巻回された第１プリプレグと、
前記ゴルフクラブシャフトの軸方向と平行な方向に延在する繊維を含み、該ゴルフクラブシャフトのグリップ側端部にのみ巻回された第２プリプレグとを有するゴルフクラブシャフト。
【請求項９】
請求項１から請求項８のいずれかに記載のゴルフクラブシャフトを備えたゴルフクラブ。
【発明の詳細な説明】
【技術分野】
【０００１】
本発明は、ゴルフクラブシャフトおよびゴルフクラブに関し、特に、手元部分におけるねじれ剛性値および曲げ剛性値の両方を好ましい範囲に設定したゴルフクラブシャフトおよびゴルフクラブに関する。
【背景技術】
【０００２】
ゴルフクラブシャフトは、クラブヘッドが装着される先端からグリップが装着されるグリップ端に向けてその外径が漸増するテーパ状の形状とされており、その長さ方向における曲げ剛性値分布は、先端から約４０ｍｍから約３００ｍｍ前後において最も低い値を示し、ここからグリップ端側に向かって漸次増加しているものが一般的である。また、ねじれ剛性分布に関しても先端から約４０ｍｍから約３００ｍｍ前後において最も低い値を示し、ここからグリップ端側に向かって漸次増加しているものが一般的である。
【０００３】
ゴルフクラブシャフトのようなパイプ形状において、曲げ剛性値を求めるための断面２次モーメント、およびねじれ剛性値を求めるための断面２次極モーメントは、ゴルフクラブシャフト外径に影響される。したがって、外径が大きくなるに従い各剛性値は大きくなる傾向にあり、曲げ剛性値分布およびねじれ剛性値分布は上述したような分布になるのが一般的である。
【０００４】
これに対し、積層構造のプリプレグ製カーボンゴルフクラブシャフトの場合は、縦弾性係数、横弾性係数を別々に設定できるというメリットがある。
【０００５】
従来から、ヘッドスピードが遅い、あるいはスイングテンポ（スイング動作の速さ）が遅いゴルファーに対しては、ゴルフクラブシャフトがしなることによってヘッドスピードを大きくすることができるため、やわらかいゴルフクラブシャフト、つまり曲げ剛性値が小さいゴルフクラブシャフトが適しているされている。
【０００６】
一方、ヘッドスピードが速い、あるいはスイングテンポが速いゴルファーに対しては、かたいゴルフクラブシャフト、つまり曲げ剛性値が大きいゴルフクラブシャフトが適しているとされている。ヘッドスピードが速い、あるいはスイングテンポが速いゴルファーが、曲げ剛性値が小さいゴルフクラブシャフトを使用した場合、スイング中のゴルフクラブシャフトのたわみ量が大きくなるため、自分の意図するタイミングで打球することができない場合があるからである。
【０００７】
また、ヘッドスピードが遅いゴルファーに対しては、トルク（所定の力を作用させた際におけるゴルフクラブシャフトのねじれ角度）が大きいゴルフクラブシャフト、つまりねじれ剛性値が小さいゴルフクラブシャフトが適しているとされている。ヘッドスピードが遅いゴルファーの場合、スイング中のシャフトのねじれ角度が小さいため、敢えてねじれを抑える必要が無く、プリプレグの積層構造を簡略化して軽量化する方が、ヘッドスピードを上げる観点からは有利だからである。
【０００８】
一方、ヘッドスピードが速いゴルファーに対しては、ねじれ剛性値が大きいゴルフクラブシャフトが適しているとされている。ヘッドスピードが速いゴルファーは、スイング中のシャフトのねじれ角度が大きいため、意図的にねじれを抑える必要があるからである。
【０００９】
ゴルフクラブシャフトの曲げ剛性分布、ねじれ剛性分布を調整したものとしては、たとえば特開平１０−４３３３３号公報（従来例１）や特開平９−２３４２５６号公報（従来
例２）に記載されたものなどが挙げられる。
【００１０】
従来例１においては、プリプレグを巻回してなる管状体を用いたゴルフクラブシャフトであって、管状体の後端部（グリップ側端部）と先端部（ヘッド側端部）との間にねじれ剛性急変部があり、後端部におけるねじれ剛性値は、先端部におけるねじれ剛性値の４．５倍以上であるゴルフクラブシャフトが開示されている。
【００１１】
これにより、グリップ部におけるねじれ剛性が大きく、操作性と安定感に優れたゴルフクラブシャフトを得ることができる。
【００１２】
従来例２においては、シャフト両端部におけるねじれ剛性値が、シャフト中央部分のねじれ剛性値から外径変化の影響を考慮して算出される値よりも大きく、シャフトの中央部分における曲げ剛性値が、シャフト両端部の曲げ剛性値から外径変化の影響を考慮して算出される値よりも大きいゴルフクラブシャフトが開示されている。
【００１３】
これにより、ショット時におけるボールの飛距離増大および方向性向上を図ることができるゴルフクラブシャフトが提供される。
【００１４】
なお、特開２００３−１０２８７６号公報（従来例３）においては、ゴルフクラブシャフトのねじれ剛性分布を簡易に測定できるねじれ特性測定装置が開示されている。
【特許文献１】特開平１０−４３３３３号公報
【特許文献２】特開平９−２３４２５６号公報
【特許文献３】特開２００３−１０２８７６号公報
【発明の開示】
【発明が解決しようとする課題】
【００１５】
しかしながら、上記のようなゴルフクラブシャフトにおいては、以下のような問題があった。
【００１６】
ゴルフスイングは、およそ２秒以内という非常に短い時間内に行なわれる。したがって、ゴルファーは、スイング時に生じるゴルフクラブシャフトの変形を、曲げとねじれとに分けて認識するわけではなく、グリップを通じてそれらをほぼ同時に感じている。
【００１７】
本願発明者が、シャフトの手元部分における曲げ剛性値とねじれ剛性値とに着目して研究を進めたところ、当該手元部分における曲げ剛性値およびねじれ剛性値の両方を所定の範囲内に設定することで、スイング時のタイミングの取りやすさが向上することがわかった。
【００１８】
これに対し、従来のクラブシャフトにおいては、スイング時のタイミングのとりやすさの指標として、手元部分の曲げ剛性値およびねじれ剛性値の両方を同時には考慮していない。
【００１９】
たとえば、従来例１においては、シャフトのねじれ剛性値を調整することで、ゴルフクラブの操作性と安定感を向上させているものの、該ねじれ剛性値に対する適切な曲げ剛性値に関して全く開示されていない。
【００２０】
従来例２についても、クラブシャフトの曲げ剛性値は該シャフトの中央部分においてその外径に対して比較的大きくなるように設定されているのみであり、該シャフトの手元部分において曲げ剛性値に対して別段の調整は行なわれていない。したがって、クラブシャフトの手元部分で曲げ剛性値およびねじれ剛性値の両方を好ましい範囲に設定する本発明
とは異なる。
【００２１】
本発明は、上記のような問題に鑑みてなされたものであり、本発明の目的は、スイング時のタイミングの取りやすさを向上させるゴルフクラブシャフトおよび該シャフトを備えたゴルフクラブを提供することにある。
【課題を解決するための手段】
【００２２】
本発明に係るゴルフクラブシャフトは、プリプレグを用いて作製されたゴルフクラブシャフトであって、１つの局面では、ゴルフクラブシャフトのグリップ側端部から３００ｍｍ以下（より好ましくは、２００ｍｍ以下）の範囲において、曲げ剛性値が０．４９×１０２Ｎ・ｍ２以上１．４７×１０２Ｎ・ｍ２以下（より好ましくは、０．４９×１０２Ｎ・ｍ２以上１．１７×１０２Ｎ・ｍ２以下、さらに好ましくは、０．５９×１０２Ｎ・ｍ２以上０．９８×１０２Ｎ・ｍ２以下）であり、かつ、ねじれ剛性値が０．４９×１０２Ｎ・ｍ２以上０．９８×１０２Ｎ・ｍ２以下（より好ましくは、０．５９×１０２Ｎ・ｍ２以上０．９８×１０２Ｎ・ｍ２以下）である部分を有する。
【００２３】
また、当該部分において、曲げ剛性値のねじれ剛性値に対する比が１．０以上１．６以下（さらに好ましくは、１．０以上１．２以下）であることが好ましい。
【００２４】
なお、曲げ剛性値のねじれ剛性値に対する比とは、（曲げ剛性値）／（ねじれ剛性値）を意味する。
【００２５】
上記ゴルフクラブシャフトは、他の局面では、ゴルフクラブシャフトのグリップ側端部から３００ｍｍ以下の範囲において、曲げ剛性値が０．４９×１０２Ｎ・ｍ２以上０．６９×１０２Ｎ・ｍ２以下であり、かつ、ねじれ剛性値が０．３５×１０２Ｎ・ｍ２以上０．４９×１０２Ｎ・ｍ２以下であり、かつ、前記曲げ剛性値の前記ねじれ剛性値に対する比が１．０以上１．４以下である部分を有する。
【００２６】
上記ゴルフクラブシャフトは、さらに他の局面では、該シャフトのグリップ側端部にのみ巻回される第１と第２プリプレグを有する。ここで、第１プリプレグは、ゴルフクラブシャフトの軸方向と交差する方向に延在する繊維を含み、第２プリプレグは、ゴルフクラブシャフトの軸方向と平行な方向に延在する繊維を含む。
【００２７】
上記いずれの局面においても、ゴルフスイング時のタイミングの取りやすさを向上させることができる。
【００２８】
本発明に係るゴルフクラブは、上述したゴルフクラブシャフトを備える。
【００２９】
これにより、スイング時にタイミングがとりやすいゴルフクラブを提供することができる。
【発明の効果】
【００３０】
本発明によれば、ゴルフクラブシャフトのグリップ側端部（手元部分）において、その曲げ剛性値およびねじれ剛性値の両方を好ましい範囲に設定することにより、スイング時のタイミングの取りやすさを向上させることができる。
【発明を実施するための最良の形態】
【００３１】
以下に、本発明に基づくゴルフクラブシャフトおよびゴルフクラブの実施の形態について説明する。
【００３２】
本実施の形態に係るゴルフクラブシャフトは、プリプレグを用いて作製されたゴルフクラブシャフトであって、１つの例として、ゴルフクラブシャフトのグリップ側端部から３００ｍｍ以下程度（好ましくは、２００ｍｍ以下程度）の範囲において、曲げ剛性値が０．４９×１０２Ｎ・ｍ２以上１．４７×１０２Ｎ・ｍ２以下程度（より好ましくは、０．４９×１０２Ｎ・ｍ２以上１．１７×１０２Ｎ・ｍ２以下程度、さらに好ましくは、０．５９×１０２Ｎ・ｍ２以上０．９８×１０２Ｎ・ｍ２以下程度）であり、かつ、ねじれ剛性値が０．４９×１０２Ｎ・ｍ２以上０．９８×１０２Ｎ・ｍ２以下程度（好ましくは、０．５９×１０２Ｎ・ｍ２以上０．９８×１０２Ｎ・ｍ２以下程度）である部分を有する。
【００３３】
このように、グリップ側端部から３００ｍｍ以下程度の範囲（以下、手元部分と表現する場合がある。）においてシャフトのねじれ剛性値および曲げ剛性値の両方を好ましい範囲に設定することで、スイング時のタイミングの取りやすさを向上させることができる。
【００３４】
また、上記手元部分において、曲げ剛性値のねじれ剛性値に対する比が１．０以上１．６以下程度（より好ましくは、１．０以上１．４以下程度、さらに好ましくは、１．０以上１．２以下程度）であることが好ましい。
【００３５】
これにより、クラブシャフトの曲げ剛性を十分に確保しながら、上述したスイング時のタイミングの取りやすさを、さらに向上させることができる。
【００３６】
上記ゴルフクラブシャフトは、他の例として、ゴルフクラブシャフトのグリップ側端部から３００ｍｍ以下の範囲において、曲げ剛性値が０．４９×１０２Ｎ・ｍ２以上０．６９×１０２Ｎ・ｍ２以下程度であり、かつ、ねじれ剛性値が０．３５×１０２Ｎ・ｍ２以上０．４９×１０２Ｎ・ｍ２以下程度であり、かつ、前記曲げ剛性値の前記ねじれ剛性値に対する比が１．０以上１．４以下である部分を有する。この場合にも、上記と同様に、スイング時のタイミングの取りやすさを向上させることができる。
【００３７】
以下に、上述した曲げ剛性値およびねじれ剛性値を実現できるゴルフクラブシャフトの構成について説明する。
【００３８】
本実施の形態に係るゴルフクラブシャフトは、繊維強化樹脂層を巻回することにより形成されたものであって、その先端部（ヘッド側端部）から後端部（グリップ側端部）に向かって漸次外径が大きくなるテーパ形状を有している。
【００３９】
上記先端部にゴルフクラブヘッドが装着され、上記後端部にグリップが取付けられてゴルフクラブが形成される。
【００４０】
繊維強化樹脂層は、複数のプリプレグ（繊維強化プリプレグ）を積層することにより形成される。プリプレグとは、繊維（強化繊維）を一方向に引き揃えて各種樹脂を含浸させたシートを意味する。
【００４１】
繊維強化樹脂層は、シャフトの軸方向と所定の角度で交差する方向に強化繊維を配したバイアス層プリプレグと、シャフトの手元部分に設けられるねじれ剛性値調整用プリプレグ（第１プリプレグ）および曲げ剛性値調整用プリプレグ（第２プリプレグ）と、シャフトの軸方向と平行に強化繊維を配したストレート層とを有する。これらをマンドレルに内側から順次巻き付けて積層することで、クラブシャフトが形成される。なお、上述したものの他に、シャフトの先端部に補強用プリプレグが設けられる。
【００４２】
なお、ねじれ剛性値調整用プリプレグにおいては、強化繊維の配向角度がシャフトの軸方向と所定の角度で交差し、曲げ剛性値調整用プリプレグにおいては、強化繊維の配向角度がシャフトの軸方向と平行である。
【００４３】
プリプレグにおける強化繊維としては、典型的には、炭素繊維を用い、プリプレグにおけるマトリックス樹脂としては、典型的には、エポキシ樹脂を用いる。ただし、プリプレグに用いる素材がこれらに限定されるわけではない。上述した素材の他に、強化繊維としては、たとえば、ガラス繊維、アラミド繊維、ボロン繊維、芳香族ポリアミド繊維、芳香族ポリエステル繊維、超高分子ポリエチレン繊維などを用いることができる。また、マトリックス樹脂としては、熱硬化性樹脂を用いることが好ましく、たとえば、エポキシ系樹脂、不飽和ポリエステル系樹脂、フェノール系樹脂、メラミン系樹脂、ユリア系樹脂、ジアリルフタレート系樹脂、ポリウレタン系樹脂、ポリイミド系樹脂、ケイ素樹脂などを用いることができる。
【００４４】
上述したゴルフクラブシャフトの構成について要約すると、以下のようになる。本実施の形態に係るゴルフクラブシャフトは、該シャフトのグリップ側端部にのみ巻回されるねじれ剛性値調整用プリプレグ（第１プリプレグ）および曲げ剛性値調整用プリプレグ（第
２プリプレグ）を有する。ここで、ねじれ剛性値調整用プリプレグは、ゴルフクラブシャフトの軸方向と交差する方向に延在する繊維を含み、曲げ剛性値調整用プリプレグは、ゴルフクラブシャフトの軸方向と平行な方向に延在する繊維を含む。
【００４５】
なお、ねじれ剛性値調整用プリプレグおよび曲げ剛性値調整用プリプレグは、クラブシャフトの後端部（グリップ側端部）と、該後端部から先端部側に２００ｍｍ以上５００ｍｍ以下程度（より好ましくは、２５０ｍｍ以上４５０ｍｍ以下程度、さらに好ましくは、３００ｍｍ以上４００ｍｍ以下程度）移動した位置との間に設けられる。
【００４６】
ここで、使用する強化繊維の弾性率、プリプレグの厚み、樹脂量などを適宜調整することにより、ゴルフクラブシャフトの手元部分において、所望のねじれ剛性値および曲げ剛性値を得ることができる。さらには、曲げ剛性値のねじれ剛性値に対する比を所望の値に設定することができる。
【００４７】
本実施の形態に係るゴルフクラブは、上述したゴルフクラブシャフトを備える。
【００４８】
これにより、スイング時にタイミングがとりやすいゴルフクラブを提供することができる。
【００４９】
本実施の形態においては、ゴルフクラブシャフトの製造工程を煩雑にすることなく、また製造コストの上昇を抑制しながら、上記の効果を得ることができる。
【実施例１】
【００５０】
以下に、本発明に基づくゴルフクラブシャフトの実施例について説明する。
【００５１】
図１は、実施例１に係るゴルフクラブシャフトの作製に用いられるプリプレグを示した図であり、（ａ）はバイアス層２０にねじれ剛性値調整用プリプレグ２１を継ぎ足した状態を示す図であり、（ｂ）は曲げ剛性値調整用プリプレグ２２を示す図である。
【００５２】
バイアス層２０は、引張弾性率が３９０ＧＰａの炭素繊維に対し、含有率が２５ｗｔ％となるように合成樹脂を含浸させたプリプレグにより構成される。炭素繊維の配向角度がシャフトの軸方向に対して±４５°の角度で交差する層（厚み０．０８３ｍｍ）をそれぞれ３層ずつ積層することで、バイアス層２０が形成される。
【００５３】
ねじれ剛性値調整用プリプレグ２１は、表１（タイプａ〜ｃ）に示す引張弾性率を有する炭素繊維に対し、含有率が２５ｗｔ％となるように合成樹脂を含浸させたプリプレグにより構成される。炭素繊維の配向角度がシャフトの軸方向に対して±４５°の角度で交差する層（厚み０．０８３ｍｍ）をそれぞれ３層ずつ積層することで、ねじれ剛性値調整用プリプレグ２１が形成される。
【００５４】
【表１】
2005270646.tif 000003
【００５５】
上記のバイアス層２０とねじれ剛性値調整用プリプレグ２１とを継ぎ足すことで、図１（ａ）に示す状態となる。
【００５６】
曲げ剛性値調整用プリプレグ２２は、表１（タイプａ〜ｃ）に示す引張弾性率を有する炭素繊維に対し、含有率が３３ｗｔ％となるように合成樹脂を含浸させたプリプレグにより構成される。炭素繊維の配向角度がシャフトの軸方向に対して平行な層（厚み０．１０ｍｍ）を１層積層することで、図１（ｂ）に示す曲げ剛性値調整用プリプレグ２２が形成される。
【００５７】
図１（ａ），（ｂ）を参照して、ねじれ剛性値調整用プリプレグ２１と曲げ剛性値調整用プリプレグ２２とは、概ね略同一の台形形状を有する。曲げ剛性値調整用プリプレグ２２は、ねじれ剛性値調整用プリプレグ２１の外側に巻回される。
【００５８】
バイアス層２０、ねじれ剛性値調整用プリプレグ２１および曲げ剛性値調整用プリプレグ２２の外側に巻回されるストレート層（図示せず）は、引張弾性率が３００ＧＰａの炭素繊維に対し、含有率が２５ｗｔ％となるように合成樹脂を含浸させたプリプレグにより構成される。炭素繊維の配向角度がシャフトの軸方向に平行な層（厚み０．１１６ｍｍ）を３層積層することで、ストレート層が形成される。
【００５９】
上述したバイアス層２０およびねじれ剛性値調整用プリプレグ２１と、曲げ剛性値調整用プリプレグ２２と、ストレート層とを順次マンドレルに巻き付けて積層することで、ゴルフクラブシャフトが形成される。
【００６０】
上記ゴルフクラブシャフトの１１４３ｍｍあたりの質量は、約５５ｇ〜５６ｇとなる。また、この１１４３ｍｍのゴルフクラブシャフトに１．３５Ｎ・ｍのねじりモーメントを加えた際のねじれ角（トルク）は、約３．９°〜４．０°である。
【００６１】
また、上記ゴルフクラブシャフト（長さ１１４３ｍｍ）にウッドヘッドを取り付けて質量３００ｇ〜３０１ｇのゴルフクラブとした際の該クラブの固有曲げ振動数は２５４ｃｐｍ〜２５５ｃｐｍである。
【実施例２】
【００６２】
実施例２に係るゴルフクラブシャフトは、実施例１に係るクラブシャフトの変形例であり、実施例１と同様に、図１に示すバイアス層２０およびねじれ剛性値調整用プリプレグ２１と、曲げ剛性値調整用プリプレグ２２と、ストレート層（図示せず）とを順次マンドレルに巻き付けて積層することにより形成される。
【００６３】
バイアス層２０としては、実施例１と同じものを用いる。
【００６４】
ねじれ剛性値調整用プリプレグ２１は、表２（タイプｄ〜ｆ）に示す引張弾性率を有する炭素繊維に対し、含有率が２５ｗｔ％となるように合成樹脂を含浸させたプリプレグにより構成される。炭素繊維の配向角度がシャフトの軸方向に対して±４５°の角度で交差する層（厚み０．０８３ｍｍ）をそれぞれ３層ずつ積層することで、ねじれ剛性値調整用プリプレグ２１が形成される。
【００６５】
【表２】
2005270646.tif 000004
【００６６】
上記のバイアス層２０とねじれ剛性値調整用プリプレグ２１とを継ぎ足すことで、図１（ａ）に示す状態となる。
【００６７】
曲げ剛性値調整用プリプレグ２２は、表２（タイプｄ〜ｆ）に示す引張弾性率を有する炭素繊維に対し、含有率が３３ｗｔ％となるように合成樹脂を含浸させたプリプレグにより構成される。炭素繊維の配向角度がシャフトの軸方向に対して平行な層（厚み０．１０ｍｍ）により、図１（ｂ）に示す曲げ剛性値調整用プリプレグ２２が形成される。
【００６８】
バイアス層２０、ねじれ剛性値調整用プリプレグ２１および曲げ剛性値調整用プリプレグ２２の外側に巻回されるストレート層（図示せず）は、引張弾性率が３００ＧＰａの炭素繊維に対し、含有率が２５ｗｔ％となるように合成樹脂を含浸させたプリプレグにより構成される。炭素繊維の配向角度がシャフトの軸方向に平行な層（厚み０．１１６ｍｍ）を１層設け、その外側に、同じく炭素繊維の配向角度がシャフトの軸方向に平行な層（厚み０．０９５ｍｍ）を２層積層することで、ストレート層が形成される。
【００６９】
上記ゴルフクラブシャフトの１１４３ｍｍあたりの質量は、約５２ｇ〜５４ｇとなる。また、この１１４３ｍｍのゴルフクラブシャフトに１．３５Ｎ・ｍのねじりモーメントを加えた際のねじれ角（トルク）は、約３．９°〜４．０°である。
【００７０】
また、上記ゴルフクラブシャフト（長さ１１４３ｍｍ）にウッドヘッドを取り付けて質量２９８ｇ〜３００ｇのゴルフクラブとした際の該クラブの固有曲げ振動数は２４０ｃｐｍ〜２４２ｃｐｍとなった。
【００７１】
次に、実施例１，２に係るゴルフクラブシャフトによって得られる効果について説明する。
【００７２】
表３，表４は、それぞれ実施例１，２において得られたゴルフクラブシャフトの曲げ剛性値と、ねじれ剛性値と、（曲げ剛性値）／（ねじれ剛性値）とを示す。なお、表３，表４における各値は、ゴルフクラブシャフトのグリップ側端部から３００ｍｍの位置における値である。
【００７３】
【表３】
2005270646.tif 000005
【００７４】
【表４】
2005270646.tif 000006
【００７５】
図２は、表３，表４に示す値をプロットしたものである。なお、図２中において、タイ
プａ〜ｆ以外のプロットは、従来のゴルフクラブシャフトの剛性値をプロットしたものである。
【００７６】
図２に示す曲げ剛性値は、３点曲げ試験による変位−荷重の傾きから以下の計算式により求められる。
ＥＩ＝（Ｗ／δ）×Ｌ３／４８
ＥＩ：曲げ剛性値，Ｗ：荷重，δ：荷重点のたわみ量（変位），Ｌ：スパン（支点間距離）
本願発明者らが行なった３点曲げ試験での諸条件を次に示す。
【００７７】
支点は、Ｒ１０（半径１０ｍｍ）の鉄製のものを用い、スパンＬ（支点間距離）を３００ｍｍに設定し、荷重点は、Ｒ７５（半径７５ｍｍ）の圧子治具（鉄製）を用い、支点間の中央部で負荷するように設定する。荷重速度は、２ｍｍ／分で、Ｗ／δは、荷重：１０ｋｇｆ（９８Ｎ）〜２０ｋｇｆ（１９６Ｎ）の時の、たわみ量変化（変位）で算出する。なお、該試験でのシャフトの荷重点が、ゴルフクラブシャフトのグリップ側端部から３００ｍｍの位置になるように設定し、その位置での曲げ剛性値を該シャフトの曲げ剛性と定義している。
【００７８】
ただし、３点曲げ試験の場合、ゴルフクラブシャフトの肉厚がその外径の割に薄いと、上記計算式で算出された値は、荷重点（圧子治具の直下）でシャフト断面が扁平することで小さくなることがある。その場合を考慮して、３種類の金属製パイプを用意し、その理論値と計算データからの算出値との比率を用いて補正を行なっている。
【００７９】
具体的には、たとえば、
１．外径φ１３．０、肉厚０．４０ｍｍのパイプに対して（弾性率Ｅ＝２１０００ｋｇｆ／ｍｍ２（２０５．８ＧＰａ）として）、理論上の曲げ剛性値６．６１×１０６ｋｇｆ・ｍｍ２（６４．７Ｎ・ｍ２）
２．外径φ１４．０、肉厚０．４０ｍｍのパイプに対して（弾性率Ｅ＝２１０００ｋｇｆ／ｍｍ２（２０５．８ＧＰａ）として）、理論上の曲げ剛性値８．３０×１０６ｋｇｆ・ｍｍ２（８１．４Ｎ・ｍ２）
３．外径φ１５．０、肉厚０．４０ｍｍのパイプに対して（弾性率Ｅ＝２１０００ｋｇｆ／ｍｍ２（２０５．８ＧＰａ）として）、理論上の曲げ剛性値１０．２７×１０６ｋｇｆ・ｍｍ２（１００．７Ｎ・ｍ２）
となり、ゴルフクラブシャフトの計測値がどのパイプ剛性に近いかで補正する比率を選択し、その比率で補正した値をシャフトの曲げ剛性と定義している。
【００８０】
他にも、測定したい位置（例えば、グリップ側端部から３００ｍｍの位置）に、一方向の歪みゲージをゴルフクラブシャフトの長手方向に貼付し、該シャフトのグリップ部を固定し、該シャフトのヘッド側に荷重を負荷する際の歪み変化εを計測することにより、次式から曲げ剛性値ＥＩを算出する方法もある。
ＥＩ＝（Ｗ×Ｌ）×（ｄ／２）／ε
ＥＩ：曲げ剛性値，Ｗ：荷重，Ｌ：歪み計測位置から荷重点までの距離，ｄ：歪み測定位置の外径，ε：歪み量
本願発明者らが行なった歪みゲージを用いた試験での諸条件を次に示す。
【００８１】
まず、曲げ剛性値を計測したい位置（ゴルフクラブシャフトのグリップ側端部から３００ｍｍの位置）に歪みゲージを貼付する。次に、該シャフトのグリップ側の５０ｍｍを、円筒用チャック（三つ爪チャック）で、歪みゲージが上面になるように固定する。荷重点は、歪みゲージの位置から該シャフトのヘッド側Ｌ：７００ｍｍの位置に負荷する。負荷方法は、Ｗ：１ｋｇｆ（９．８Ｎ）の錘を吊り下げる。その錘を吊り下げる前後の歪みゲージの出力される値を歪み量εとして用いる。（ｄは、歪み測定位置の外径で、別の手段で計測する。）
また、図２に示すねじれ剛性値は、図３に示すねじれ特性測定装置１を用いて求められる。
【００８２】
その他には、直接、直交する二軸の歪ゲージを計測したい位置のシャフト表面に貼付（シャフト長さ方向に対して、±４５°になるように貼付；片側に一組、若しくは、対面に二組）し、次式からねじれ剛性値を計測する方法もある。
ＧＩｐ＝（Ｗ×Ｌ）×（ｄ／２）／γ
ＧＩｐ：ねじれ剛性値、Ｗ：荷重、Ｌ：シャフト中心軸から荷重点までの距離、ｄ：ねじれ歪み測定位置の外径、γ：ねじれ歪み量
本願発明者らが行なった二軸の歪みゲージを用いた試験での諸条件を次に示す。
【００８３】
まず、ねじれ剛性値を計測したい位置（ゴルフクラブシャフトのグリップ側端部から３００ｍｍの位置）に二軸の歪みゲージを貼付する。次に、ゴルフクラブシャフトをヘッド側及びグリップ側の双方からチャックでき、かつ、一方のチャックは回転できる（ねじれモーメントがかけることが出来る）機能を有する装置により、該シャフトの両端を固定する。チャック間の距離は、３００〜５００ｍｍ（ここでは、３００ｍｍ）に設定し、チャック間の略中央が、該歪みゲージの位置になるように配置する。最後に、回転できる側のチャック部よりＬ：５０ｍｍのアームをシャフト長手方向に対して、垂直に、かつ、水平に出し、その先に、Ｗ：１ｋｇｆ（９．８Ｎ）の錘を吊り下げる。その錘を吊り下げる前後の歪みゲージの出力される値を歪み量γとして用いる。（ｄは、歪み測定位置の外径であり、別の手段により計測される。）
図３を参照して、ねじれ特性測定装置１においては、記憶媒体１３を介して駆動体１５とディスプレイ１６およびプリンタ１２とが接続されており、キーボード１４で入力された命令に従い、駆動体１５が起動されてねじれ特性測定装置の各々の手段の駆動が行なわれ、その測定結果がディスプレイ１６やプリンタ１２へ出力される。
【００８４】
ねじれ特性測定装置１の台２上には、ゴルフクラブシャフト１７の先端と後端を固定支持する固定手段（チャック）３と、ゴルフクラブシャフト１７の先端に所定量のねじれ角度を与えるメガトルクモータを有し、予め定められたねじりモーメントを与えるねじりモーメント負荷手段４と、ゴルフクラブシャフト１７の長さ方向に対して直角方向からレーザ光を照射し外径を測定する外径検出手段５と、ゴルフクラブシャフトの長さ方向に対して垂直な方向からのレーザ光の照射とその反射とによりゴルフクラブシャフトのねじれ角度を検出するねじれ角度検出手段６と、ゴルフクラブシャフトの固定手段３間の総ねじれ角度を検出する総ねじれ角度検出手段７と、外径検出手段５およびねじれ角度検出手段６を載置した台板８をゴルフクラブシャフト１７の長さ方向に沿って移動させるために敷設されたガイドレール９と、台板８をガイドレールに沿って移動させるモータ１０とが設けられている。
【００８５】
ねじれ角度検出手段６にはセンサ（図示せず）が取り付けられている。このセンサには、ゴルフクラブシャフト１７の軸方向に対して垂直な方向からレーザ光を照射する発光素子と、発光素子からの反射光を受光する受光素子とが組み込まれていて、ねじりモーメントを負荷する前後の位置のずれが１／１００００ｍｍのオーダで検出され、後述する外径検出手段５による外径データに基づいて、当該箇所におけるねじれ角度が算出される。ここでは、上記センサとして（株）キーエンス製のＦＣ（センサヘッド型式：ＦＣ−２０１０，アンプユニット型式：ＦＣ−２０００）を使用した。光源としては、最大出力１２ｍＷの半導体レーザ（波長７８０ｎｍ）を用いた。
【００８６】
外径検出手段５には、ゴルフクラブシャフトの軸方向に垂直な方向において該クラブシャフトを挟み込むように他のセンサ（図示せず）が取り付けられている。このセンサには、ゴルフクラブシャフト１７の軸方向に対して垂直な方向からレーザ光を照射する発光素子と、発光素子と対向する側に該発光素子からの光を受光する受光素子とが組み込まれていて、受光素子での光量を検出することで、ゴルフクラブシャフトの各位置における外径が検出される。ここでは、上記他のセンサとして、（株）キーエンス製のＶＧ（センサヘッド型式：ＶＧ−０３５，コントローラ型式：ＶＧ−３００）を使用した。光源としては、最大出力１．５ｍＷの可視光半導体レーザ（波長６７０ｎｍ）を用いた。
【００８７】
上述した外径検出手段５およびねじれ角度検出手段６をクラブシャフトの軸方向に移動させながら、所定のポイントごとにクラブシャフトのねじれ角度を順次測定することで、各ポイント間におけるねじれ角度を知ることができる。
【００８８】
一方、クラブシャフト端部近傍においては、上述した外径検出手段５およびねじれ角度
検出手段６と固定手段３とが接触してねじれ角度の測定を行なうことができないため、クラブシャフトの両端間の総ねじれ角度は、総ねじれ角度検出手段７内に設けられたエンコーダ（図示せず）により計測する。また、外径検出手段５により測定できないクラブシャフト端部近傍における該シャフトの外径については、予め他の手段により計測した上で、キーボード１４により予めそのデータを入力しておく。
【００８９】
上述した構成のねじれ特性測定装置１によりゴルフクラブシャフト１７のねじれ剛性値を測定する方法について以下に説明する。
【００９０】
図３に示すように、ゴルフクラブシャフト１７の両端を固定手段３により固定する。ねじれ角度検出手段６を任意の測定位置（ｘ）に移動させた後、ねじりモーメント（Ｔ）が駆動体１５により加えられる。ここで、ねじりモーメントがゼロの状態から所定の値（Ｔ）に変化したときのゴルフクラブシャフト１７の周方向の移動量、すなわち、その位置（ｘ）でのねじれ移動量（δ（ｘ））が検出され、記憶媒体１３に出力される。ここでのねじれ移動量（δ（ｘ））は微小であるため、δ（ｘ）を円弧長さとみなすことができる。また、記憶媒体１３には上述した測定位置（ｘ）および載荷されたねじりモーメント（Ｔ）に関するデータも出力される。同時に、外径検出手段５により、その測定位置（ｘ）におけるゴルフクラブシャフト１７の外径（Ｄ）が計測され、記憶媒体１３に出力される。さらに、エンコーダにより、固定手段間の総ねじれ角度（θ’）が検出される。その後、ねじりモーメントを徐荷し、外径検出手段５およびねじれ角度検出手段６を上記と異なる測定位置（ｘ’）に移動させ、その測定位置（ｘ’）において上記と同様の計測を行なう。
【００９１】
以上の手順で計測を繰り返すことにより、所定のねじりモーメント（Ｔ）を載荷した場合における、クラブシャフト１７のねじれ角度（θ（ｒａｄ））の軸方向分布（θ（ｘ））が、以下の式により求められる。
θ（ｘ）＝２π・δ（ｘ）／(π・Ｄ（ｘ）)＝２・δ（ｘ）／Ｄ（ｘ）
一方、ねじれ角度θ（ｘ）と、ねじりモーメントＴおよびねじれ剛性値ＧＩｐ（ｘ）との関係は、次式で表される。
ｄθ（ｘ）／ｄｘ＝Ｔ／ＧＩｐ（ｘ）
したがって、クラブシャフトの軸方向のねじれ角度の分布θ（ｘ）が測定できれば、ねじれ剛性の軸方向分布ＧＩｐ（ｘ）は、以下の式により算出することができる。
ＧＩｐ（ｘ）＝Ｔ／｛ｄθ（ｘ）／ｄｘ｝
ここで、クラブシャフトの両端（ｘ＝０，Ｌ）における境界条件は、θ（０）=θ’，
θ（Ｌ）＝０である。この境界条件と、Ｄ（０），Ｄ（Ｌ）に関するデータとは、予めキーボード１４により入力される。
【００９２】
ここでは、ｘ＝３００（ｍｍ）とすることにより、図２におけるねじれ剛性値を算出することができる。
【００９３】
表５，６は、上述した実施例１，２に係るゴルフクラブシャフト（タイプａ〜ｆ）を有するゴルフクラブを用いた、ゴルファーＡ〜Ｄによる打球試験の結果を示す。
【００９４】
【表５】
2005270646.tif 000007
【００９５】
【表６】
2005270646.tif 000008
【００９６】
表５，表６において、ゴルファーＡ，Ｂのスイングテンポ（スイング動作の速さ）が「速め」であるのに対し、ゴルファーＣ，Ｄのスイングテンポは「普通」である。
【００９７】
表５，表６においては、打球試験の結果、タイプａ〜ｃ，タイプｄ〜ｆのクラブシャフトのうち、各々のゴルファーがスイング時に最もタイミングが取りやすいシャフトであると評価したものを「◎」で表す。同様に、２番目，３番目にタイミングが取りやすいと評価したシャフトを、それぞれ「○」，「△」で表す。
【００９８】
なお、タイミングの取りにくさの指標としては、「振り遅れる」，「切り返し時にタイミングがとりにくい」，「やわらかい」，「ばらつく」，「ヘッドの戻りが悪い」などのイメージが挙げられる。これらのイメージが効果的に抑制されたシャフトが、「タイミングが取りやすいシャフト」として評価される。
【００９９】
表５を参照して、タイプａ〜ｃのゴルフクラブシャフトに対する評価において、４名中３名（ゴルファーＡ，Ｃ，Ｄ）のゴルファーが、タイプｃのクラブシャフトが最もタイミングが取りやすく、タイプｂのクラブシャフトが２番目にタイミングが取りやすいと評価している。また、その他のゴルファー（ゴルファーＢ）については、タイプｂのクラブシャフトが最もタイミングが取りやすく、タイプｃのクラブシャフトが２番目にタイミングが取りやすいと評価している。
【０１００】
表６を参照して、タイプｄ〜ｆのゴルフクラブシャフトに対する評価において、４名全てのゴルファー（ゴルファーＡ，Ｂ，Ｃ，Ｄ）が、タイプｆのクラブシャフトが最もタイミングが取りやすく、タイプｅのクラブシャフトが２番目にタイミングが取りやすいと評価している。
【０１０１】
ここで、図２を参照して、タイプｂ，ｃ，ｅ，ｆのクラブシャフトについては、グリップ側端部から３００ｍｍの位置において、曲げ剛性値（ＥＩ）が５×１０６ｋｇｆ・ｍｍ２以上１２×１０６ｋｇｆ・ｍｍ２以下（０．４９×１０２Ｎ・ｍ２以上１．１７×１０２Ｎ・ｍ２以下）であり、かつ、ねじれ剛性値（ＧＩｐ）が５×１０６ｋｇｆ・ｍｍ２以上１０×１０６ｋｇｆ・ｍｍ２以下（０．４９×１０２Ｎ・ｍ２以上０．９８×１０２Ｎ・ｍ２以下）である。
【０１０２】
また、タイプｂ，ｅのクラブシャフトについては、グリップ側端部から３００ｍｍの位置において、曲げ剛性値（ＥＩ）が６×１０６ｋｇｆ・ｍｍ２以上１０×１０６ｋｇｆ・ｍｍ２以下（０．５９×１０２Ｎ・ｍ２以上０．９８×１０２Ｎ・ｍ２以下）であり、かつ、ねじれ剛性値（ＧＩｐ）が５×１０６ｋｇｆ・ｍｍ２以上１０×１０６ｋｇｆ・ｍｍ２以下（０．４９×１０２Ｎ・ｍ２以上０．９８×１０２Ｎ・ｍ２以下）であり、かつ、曲げ剛性値のねじれ剛性値に対する比（ＥＩ／ＧＩｐ）が１．０以上１．６以下である。
【０１０３】
さらに、タイプｃ，ｆのクラブシャフトについては、グリップ側端部から３００ｍｍの位置において、曲げ剛性値（ＥＩ）が６×１０６ｋｇｆ・ｍｍ２以上１０×１０６ｋｇｆ・ｍｍ２以下（０．５９×１０２Ｎ・ｍ２以上０．９８×１０２Ｎ・ｍ２以下）であり、かつ、ねじれ剛性値（ＧＩｐ）が６×１０６ｋｇｆ・ｍｍ２以上１０×１０６ｋｇｆ・ｍｍ２以下（０．５９×１０２Ｎ・ｍ２以上０．９８×１０２Ｎ・ｍ２以下）であり、かつ、曲げ剛性値のねじれ剛性値に対する比（ＥＩ／ＧＩｐ）が１．０以上１．２以下である。
【０１０４】
ところで、図２を参照して、従来のゴルフクラブシャフトについては、グリップ側端部から３００ｍｍの位置において、曲げ剛性値のねじれ剛性値に対する比（ＥＩ／ＧＩｐ）が１．６以上であるものがほとんどである。
【０１０５】
これは、クラブシャフトの手元部分におけるねじれ剛性値（ＧＩｐ）がシャフト全体のねじれ角（トルク）に対して及ぼす影響が小さいため、手元部分におけるねじれ剛性値（ＧＩｐ）をさほど大きく設定しないのに対し、該シャフトにおいて必要な曲げ強度を確保するために、手元部分における曲げ剛性値（ＥＩ）を比較的大きく設定しているためと考えられる。
【０１０６】
したがって、実施例１，２に係るクラブシャフト（タイプｂ，ｃ，ｅ，ｆ）は、クラブシャフトの手元部分において、ねじれ剛性値（ＧＩｐ）および曲げ剛性値（ＥＩ）の両方を好ましい範囲内に設定することを意図して初めて得られる、ということができる。
【０１０７】
構造的な観点では、クラブシャフトの手元部分にのみ巻回されたねじれ剛性値調整用プリプレグ２１および曲げ剛性値調整用プリプレグ２２を設けることで、手元部分においてねじれ剛性値（ＧＩｐ）および曲げ剛性値（ＥＩ）の両方を所定の範囲内に設定することができる。この結果、上述したクラブシャフト（タイプｂ，ｃ，ｅ，ｆ）が提供される。
【０１０８】
なお、実施例１，２に係るクラブシャフト（タイプｂ，ｃ，ｅ，ｆ）は、スイング中に曲げモーメントとねじりモーメントとがほぼ同時に最大となる上級ゴルファーによる使用において、より大きな効果を奏する。
【０１０９】
また、実施例１，２においては、ゴルフクラブシャフトのグリップ側端部から３００ｍｍ離れた位置におけるねじれ剛性値によりゴルフクラブシャフトを評価しているが、本願発明者らは、実施例１，２に係るクラブシャフトのグリップ側端部から２００ｍｍ程度離れた位置におけるねじれ剛性値についても、該端部から３００ｍｍ離れた位置におけるねじれ剛性値とほぼ同程度であることを確認している。したがって、クラブシャフトのグリップ側端部から２００ｍｍ程度離れた位置におけるねじれ剛性値によりゴルフクラブシャフトを評価する場合も、上述した結果を援用することができる。
【０１１０】
なお、一般的なゴルファーは、スイング時にグリップ側端部と該端部から１８０ｍｍ程度離れた位置との間を保持する。したがって、上記グリップ側端部と該端部から２００ｍ
ｍ程度（または３００ｍｍ程度）離れた位置との間でクラブシャフトの曲げ剛性値およびねじれ剛性値を調整することで、上述したタイミングの取りやすさの向上という効果を得ることができる。
【０１１１】
本願発明者らは、タイミングの取りやすさの向上という効果を発揮できる領域（範囲）について、さらに詳細な検証を実施した。次の実施例３に記載する。
【実施例３】
【０１１２】
図４は、実施例３に係るゴルフクラブシャフトの作製に用いられるプリプレグを示した図であり、（ａ）はバイアス層２３にねじれ剛性値調整用プリプレグ２４を継ぎ足した状態を示す図であり、（ｂ）は２つの曲げ剛性値調整用プリプレグ２５，２６を示す図である。
【０１１３】
バイアス層２３は、引張弾性率が４５０ＧＰａの炭素繊維に対し、含有率が２５ｗｔ％となるように合成樹脂を含浸させたプリプレグにより構成される。炭素繊維の配向角度がシャフトの軸方向に対して±４５°の角度で交差する層（厚み０．０８３ｍｍ）をそれぞれ２層ずつ積層することで、バイアス層２３が形成される。
【０１１４】
表７は、ねじれ剛性値調整用プリプレグ２４および曲げ剛性値調整用プリプレグ２５,２６に用いられる炭素繊維の引張弾性率を示す。また、表８は、表７（タイプｇ〜ｎ）に示す引張弾性率を有する炭素繊維を用いて作製されたゴルフクラブシャフトの曲げ剛性値と、ねじれ剛性値と、（曲げ剛性値）／（ねじれ剛性値）とを示す。なお、表８における各値は、ゴルフクラブシャフトのグリップ側端部から３００ｍｍの位置における値である。
【０１１５】
【表７】
2005270646.tif 000009
【０１１６】
【表８】
2005270646.tif 000010
【０１１７】
ねじれ剛性値調整用プリプレグ２４は、表７（タイプｇ〜ｎ）に示す引張弾性率を有する炭素繊維に対し、含有率が２５ｗｔ％となるように合成樹脂を含浸させたプリプレグにより構成される。炭素繊維の配向角度がシャフトの軸方向に対して±４５°（または±３５°）の角度で交差する層（厚み０．０８３ｍｍ）をそれぞれ２層ずつ積層することで、ねじれ剛性値調整用プリプレグ２４が形成される。
【０１１８】
上記バイアス層２３とねじれ剛性値調整用プリプレグ２４とを継ぎ足すことで、図４（ａ）に示す状態となる。
【０１１９】
曲げ剛性値調整用プリプレグ２５,２６は、表７（タイプｇ〜ｎ）に示す引張弾性率を有する炭素繊維に対し、含有率が２５〜３３ｗｔ％となるように合成樹脂を含浸させたプリプレグにより構成される。炭素繊維の配向角度がシャフトの軸方向に対して平行な層（厚み０．０８３〜０．１０ｍｍ）をそれぞれ１層積層することで、図４（ｂ）に示す曲げ剛性値調整用プリプレグ２５，２６が形成される。
【０１２０】
図４（ａ），（ｂ）を参照して、ねじれ剛性値調整用プリプレグ２４と曲げ剛性値調整用プリプレグ２５，２６とは、概ね略同一の台形形状を有する。曲げ剛性値調整用プリプレグ２５は、ねじれ剛性値調整用プリプレグ２４の外側に巻回され、さらに、曲げ剛性値調整用プリプレグ２６は、曲げ剛性値調整用プリプレグ２５の外側に巻回される。
【０１２１】
バイアス層２３、ねじれ剛性値調整用プリプレグ２４および曲げ剛性値調整用プリプレグ２５，２６の外側に巻回されるストレート層（図示せず）は、引張弾性率が２３５ＧＰａの炭素繊維に対し、含有率が２５ｗｔ％となるように合成樹脂を含浸させたプリプレグにより構成される。炭素繊維の配向角度がシャフトの軸方向に平行な層（厚み０．１０２ｍｍ）を３層（ただし、タイプｇ，ｈに関しては、２層）積層することで、ストレート層が形成される。
【０１２２】
上述したバイアス層２３およびねじれ剛性値調整用プリプレグ２４と、曲げ剛性値調整用プリプレグ２５，２６と、ストレート層とを順次マンドレルに巻き付けて積層することで、ゴルフクラブシャフトが形成される。
【０１２３】
上記ゴルフクラブシャフトの１１４３ｍｍあたりの質量は、タイプｇ，ｈが約４２ｇ、タイプｉ〜ｎが約５２ｇ〜５５ｇとなる。また、この１１４３ｍｍのゴルフクラブシャフトに１．３５Ｎ・ｍのねじりモーメントを加えた際のねじれ角（トルク）は、約３．５°〜５．０°である。
【０１２４】
また、上記ゴルフクラブシャフト（長さ１１４３ｍｍ）にウッドヘッドを取付けた時のクラブ質量は、タイプｇ，ｈが約２８０ｇ前後、タイプｉ〜ｎが３００ｇ〜３０２ｇであり、その時の該クラブの固有曲げ振動数は、タイプｇ，ｈが約２１０〜２１５ｃｐｍ、タイプｉ〜ｋが約２４０〜２４５ｃｐｍ、タイプｉ〜ｎが約２６０〜２６５ｃｐｍとなった。
【０１２５】
次に、実施例３に係るゴルフクラブシャフトによって得られる効果について説明する。
【０１２６】
既に、表８には、実施例３において得られたゴルフクラブシャフトの曲げ剛性値と、ねじれ剛性値と、（曲げ剛性値）／（ねじれ剛性値）とを示している。なお、表８における各値は、ゴルフクラブシャフトのグリップ側端部から３００ｍｍの位置における値である。
【０１２７】
表９は、上述した実施例３に係るゴルフクラブシャフト（タイプｇ〜ｎ）を有するゴルフクラブを用いた、ゴルファーＥ（プロゴルファー男子），ゴルファーＦ（シニアクラスのプロゴルファー男子）の２名による打球試験の結果を示す。
【０１２８】
【表９】
2005270646.tif 000011
【０１２９】
打球試験は、ゴルフクラブシャフトのフレックス（硬さ）の違いから、タイプｇ，ｈによる比較、タイプｉ，ｊ，ｋによる比較、タイプｌ，ｍ，ｎによる比較の３種類とした。そして、各々のゴルファーがスイング時にタイミングが取りやすいシャフトであると評価したものは「◎」、タイミングが取りづらいと評価したものは「△」、どちらともいえないものは「○」とした。
【０１３０】
図５は、表３，表４に加えて、表８に示すタイプｇ〜ｎの値をプロットしたものである。なお、図５中において、タイプａ〜ｆ，ｇ〜ｎ以外のプロットは、従来のゴルフクラブシャフトの剛性値をプロットしたものである。
【０１３１】
ところで、ゴルフクラブシャフトのフレックス（硬さ）は、概ねグリップ側端部から３００ｍｍの位置における曲げ剛性値に対応する。ここからは、図５を参照した上で、各フレックスごとの好ましいねじれ剛性値の範囲について考察する。
【０１３２】
まず、グリップ側端部から３００ｍｍの位置において、曲げ剛性値（ＥＩ）が７×１０６ｋｇｆ・ｍｍ２以上１０×１０６ｋｇｆ・ｍｍ２以下程度（０．６９×１０２Ｎ・ｍ２以上０．９８×１０２Ｎ・ｍ２以下程度）の場合の比較例では、タイプｂ，ｃ，ｅ，ｆのクラブシャフトに加え、タイプｊ，ｋにおいても、タイプａ，ｄやタイプｉと比較して評価がよく、したがって、この範囲においては、ねじれ剛性値（ＧＩｐ）が５×１０６ｋｇｆ・ｍｍ２以上１０×１０６ｋｇｆ・ｍｍ２以下程度（０．４９×１０２Ｎ・ｍ２以上０．９８×１０２Ｎ・ｍ２以下程度であることが好ましく、曲げ剛性値のねじれ剛性値に対する比（ＥＩ／ＧＩｐ）が１．６以下であればさらに好ましいといえる。
【０１３３】
次に、グリップ側端部から３００ｍｍの位置において、曲げ剛性値（ＥＩ）が５×１０６ｋｇｆ・ｍｍ２以上７×１０６ｋｇｆ・ｍｍ２以下程度（０．４９×１０２Ｎ・ｍ２以上０．６９×１０２Ｎ・ｍ２以下程度）の場合の比較例では、タイプｈのクラブシャフトにおいて、タイプｇと比較して評価がよく、したがって、この範囲においては、ねじれ剛性値（ＧＩｐ）が３．５７×１０６ｋｇｆ・ｍｍ２以上１０×１０６ｋｇｆ・ｍｍ２以下程度（０．３５×１０２Ｎ・ｍ２以上０．９８×１０２Ｎ・ｍ２以下程度であり、かつ、曲げ剛性値のねじれ剛性値に対する比（ＥＩ／ＧＩｐ）が１．４以下であることが好ましいといえる。
【０１３４】
また、グリップ側端部から３００ｍｍの位置において、曲げ剛性値（ＥＩ）が１０×１０６ｋｇｆ・ｍｍ２以上１５×１０６ｋｇｆ・ｍｍ２以下程度（０．９８×１０２Ｎ・ｍ２以上１．４７×１０２Ｎ・ｍ２以下程度）の場合の比較例では、タイプｍ，ｎのクラブシャフトにおいて、タイプｌと比較して評価がよく、したがって、この範囲においては、ねじれ剛性値（ＧＩｐ）が５×１０６ｋｇｆ・ｍｍ２以上１０×１０６ｋｇｆ・ｍｍ２以下程度（０．４９×１０２Ｎ・ｍ２以上０．９８×１０２Ｎ・ｍ２以下程度であることが好ましく、曲げ剛性値のねじれ剛性値に対する比（ＥＩ／ＧＩｐ）が１．６以下であればさらに好ましいといえる。
【０１３５】
ところで、図５を参照して、従来のゴルフクラブシャフトについては、グリップ側端部から３００ｍｍの位置において、曲げ剛性値のねじれ剛性値に対する比（ＥＩ／ＧＩｐ）が１．６よりも大きいものがほとんどである。図５に示される結果から、ゴルフクラブシャフトを製作するものが慣例に基づいて製作すると、殆どの場合、ゴルフクラブシャフトのフレックスに関わらず、曲げ剛性値のねじれ剛性値に対する比（ＥＩ／ＧＩｐ）が１．６よりも大きく、かつ、３．０以下の範囲に属すると推定できる。
【０１３６】
したがって、ゴルフクラブシャフトのフレックスに関わらず、曲げ剛性値のねじれ剛性値に対する比（ＥＩ／ＧＩｐ）を、意図的に１．６以下程度に設定するすることで、従来のクラブシャフトと比較して、タイミングの取りやすいクラブシャフトが提供できる。
【０１３７】
また、現時点で市場に流通するプリプレグの種類等に基づいて考察すると、曲げ剛性値のねじれ剛性値に対する比（ＥＩ／ＧＩｐ）の比較的容易に得られる範囲は、１．０以上程度であると考えられる。したがって、曲げ剛性値のねじれ剛性値に対する比（ＥＩ／ＧＩｐ）の値を１．０以上１．６以下程度（より好ましくは１．４以下程度、さらに好ましくは１．２以下程度）の範囲に設定することで、比較的汎用性が高く、かつ、スイング時にタイミングの取りやすいクラブシャフトを提供することができる。ただし、市場に流通するプリプレグの種類が増大し、曲げ剛性値のねじれ剛性値に対する比（ＥＩ／ＧＩｐ）を容易に１．０以下程度に設定することができるようになれば、よりタイミングが取りやすいゴルフクラブシャフトが実現すると推定できる。
【０１３８】
以上、本発明の実施の形態および実施例について説明したが、上述した実施の形態および各実施例の特徴部分を適宜組み合わせることは、当初から予定されている。また、今回開示された実施の形態および実施例は全ての点で例示であって制限的なものではないと考えられるべきである。本発明の範囲は特許請求の範囲によって示され、特許請求の範囲と均等の意味および範囲内での全ての変更が含まれることが意図される。
【図面の簡単な説明】
【０１３９】
【図１】本発明の実施例１，２に係るゴルフクラブシャフトの作製に用いられるプリプレグを示した図であり、（ａ）はバイアス層上にねじれ剛性値調整用プリプレグを継ぎ足した状態を示す図であり、（ｂ）は曲げ剛性値調整用プリプレグを示す図である。
【図２】本発明の実施例１，２に係るゴルフクラブシャフトの手元部分における該シャフトのねじれ剛性値および曲げ剛性値を示す図である。
【図３】ゴルフクラブシャフトのねじれ剛性値を測定するねじれ特性測定装置を示す図である。
【図４】本発明の実施例３に係るゴルフクラブシャフトの作製に用いられるプリプレグを示した図であり、（ａ）はバイアス層上にねじれ剛性値調整用プリプレグを継ぎ足した状態を示す図であり、（ｂ）は曲げ剛性値調整用プリプレグを示す図である。
【図５】本発明の実施例１，２に加え、実施例３に係るゴルフクラブシャフトの手元部分における該シャフトのねじれ剛性値および曲げ剛性値を示す図である。
【符号の説明】
【０１４０】
１  ねじれ特性測定装置、２  台、３  固定手段、４  ねじりモーメント負荷手段、５
外径検出手段、６  ねじれ角度検出手段、７  総ねじれ角度検出手段、８  台板、９  ガイドレール、１０  モータ、１２  プリンタ、１３  記憶媒体、１４  キーボード、１５  駆動体、１６  ディスプレイ、１７  ゴルフクラブシャフト、２０，２３  バイアス層、２１，２４  ねじれ剛性値調整用プリプレグ、２２，２５，２６  曲げ剛性値調整用プリプレグ。
【図１】
2005270646.tif 000012
【図２】
2005270646.tif 000013
【図３】
2005270646.tif 000014
【図４】
2005270646.tif 000015
【図５】
2005270646.tif 000016